(57)【特許請求の範囲】
【請求項１】
コンテンツごとにコピー可能回数が設定される前記コンテンツと、
複数の前記コンテンツに含まれる同一のコマーシャル動画をリスト化した同一ＣＭリストと、を記憶する記憶手段と、
あるコマーシャル動画を複製する際に、該コマーシャル動画を含むものとして前記同一ＣＭリストにリスト化された前記コンテンツのうち設定されている前記コピー可能回数に余裕がある前記コンテンツを複製元として選択し、該コマーシャル動画の複製を実行する複製手段と、
を有することを特徴とする、映像記録装置。
【請求項２】
前記同一ＣＭリストは、前記複製手段により前記コンテンツから該コマーシャル動画が複製された回数を前記コンテンツ毎に記録し、
前記複製手段は、前記コピー可能回数と、前記複製された回数に基づいて、前記コピー可能回数に余裕がある前記コンテンツを判定することを特徴とする、請求項１記載の映像記録装置。
【請求項３】
前記コンテンツは、ユーザにより本編保護回数が指定され、
前記複製手段は、前記コピー可能回数と、前記複製された回数と、前記本編保護回数に基づいて、前記コピー可能回数に余裕があるコンテンツであると判定することを特徴とする、請求項２記載の映像記録装置。
【請求項４】
前記複製手段は、同程度に前記コピー可能回数に余裕があると判断される前記コンテンツが複数ある場合は、画質のよい方から複製することを特徴とする、請求項１から３のいずれか１項記載の映像記録装置。
【発明の詳細な説明】
【技術分野】
【０００１】
本発明は、映像記録装置に関し、特に、録画コンテンツにコピー回数の制限が設定される場合において前記録画コンテンツの一部を複製する技術に関する。
【背景技術】
【０００２】
映像記録装置の技術分野においては、放映されたテレビ番組等の録画をする機能だけでなく、さらに、録画からコマーシャル（以下、「ＣＭ」と呼ぶ）映像を抜き出して本編だけの映像に編集したり、或いは、ＣＭコレクションを作成したりする機能を追加して、商品の付加価値を高める場合がある。このような映像記録装置の技術の一例として、特許文献１を挙げる。
【０００３】
特許文献１には、ＣＭ部分を含んだ放送信号を入力信号として、入力信号から記録装置に記録されているＣＭ動画と一致する部分をＣＭ部分として削除することが記載されている。つまり、録画からＣＭを抜き出して本編だけの映像に編集する技術の先行例である。これは、コンテンツ同士を比較し、同一のＣＭを探す従来技術（以下、「シーンマッチング」と呼ぶ場合がある）である。
【０００４】
ところで、放映されたテレビ番組等の録画をする機能を備える映像記録装置には、放送録画の私的利用に関する運用ルールに則って、コピー回数に制限をつける保護がなされていることがある。例えば、「ダビング１０」や「コピーワンス」等として知られているものがコピー回数の制限である。
【０００５】
「ダビング１０」は、ハードディスクドライブ（以下、「ＨＤＤ」と呼ぶ）レコーダに録画した地上波デジタル放送やＢＳデジタル放送のテレビ番組を、ＤＶＤ（Ｄｉｇｉｔａｌ  Ｖｅｒｓａｔｉｌｅ  Ｄｉｓｃ）やＢｌｕ−ｒａｙ（登録商標）Ｄｉｓｃに９回までコピー、残り１回ムーブでき、複製されたデータをさらに複製することはできないものとする制限である。
【０００６】
特許文献２には、映像記録装置の容量不足に対応するためにコンテンツを削除する際、各コンテンツに設定されている残存コピー可能回数を参照して、残存コピー可能回数が多く残っているものを優先的に残して、処理実行することが開示されている。
【先行技術文献】
【特許文献】
【０００７】
【特許文献１】特開２００４−３２８３０６号公報
【特許文献２】特開２０１０−１０９４９３号公報
【発明の概要】
【発明が解決しようとする課題】
【０００８】
ダビング１０のようなコピー回数制限がある録画コンテンツからＣＭコレクションを作成する際には、書き出すＣＭの数分の残存コピー可能回数を消費してしまうという問題がある。例えば、図７（ａ）を参照すると、１ファイルの録画コンテンツにＣＭ１とＣＭ２の２種類のＣＭが含まれており、ＣＭ１とＣＭ２を両方とも書き出す場合、２つ書き出すだけで２回のコピーと見なされ、残存コピー可能回数は２減る。
【０００９】
残存コピー回数の浪費を避けるため、そもそも放送を録画する段階からファイルを分割しておくことが考えられる（図７（ｂ）参照）。この場合、ＣＭの書き出しの際に本編の残存コピー可能回数に影響はないが、映像記録装置が管理できるファイル数に上限があったり、分割したポイントの直前の画像（前ファイルの最後）が見られなかったりといった、別の問題が生じる。
【００１０】
なお、本明細書では、図７（ａ）に示した録画コンテンツに含まれるＣＭを除いた部分（図中白抜き部分）を、「本編」と呼ぶ。
【００１１】
また、ＣＭコレクションを作成するにあたり、会社、出演者、ジャンル、内容ごとなど、ユーザが媒体ごとにタグ付けして分類することが考えられる。しかしながら、当該ＣＭを含む本編の媒体書き出しや、他の機器へのバックアップを行うことで、当該コンテンツのコピー可能な回数が減ってしまい、せっかく分類しても書き出しきれないという点も課題であった。その場合、コピー回数に余裕のある同一のＣＭを探すことになるが、従来は、これを手動で探して選んでいた。
【００１２】
そこで本発明は、上記実情に鑑みて、コピー可能回数が設定されている複数の録画コンテンツからＣＭをコピーする際に、自動で最適な録画コンテンツからコピーを作成することが可能な映像記録装置を提供することを目的とする。
【課題を解決するための手段】
【００１３】
上記目的を達成するために本発明は、第１の態様として、コンテンツごとにコピー可能回数が設定される前記コンテンツと、複数の前記コンテンツに含まれる同一のコマーシャル動画をリスト化した同一ＣＭリストと、を記憶する記憶手段と、あるコマーシャル動画を複製する際に、該コマーシャル動画を含むものとして前記同一ＣＭリストにリスト化された前記コンテンツのうち設定されている前記コピー可能回数に余裕がある前記コンテンツを複製元として選択し、該コマーシャル動画の複製を実行する複製手段と、を有することを特徴とする、映像記録装置を提供するものである。
【発明の効果】
【００１４】
本発明によれば、コピー可能回数が設定されている複数の録画コンテンツからＣＭをコピーする際に、自動で最適な録画コンテンツからコピーを作成することが可能な映像記録装置を提供することが可能となる。
【図面の簡単な説明】
【００１５】
【図１】本実施形態の構成を示すブロック図である。
【図２】本実施形態のプレイリスト２２と同一ＣＭリスト２３の表示例を示す図である。
【図３】本実施形態の各ＣＭのプレイリストへの登録手順を示すフローチャート図である。
【図４】本実施形態のプレイリストデータベース例を示す図である。
【図５】本実施形態の同一ＣＭリストに関するデータベース例を示す図である。
【図６】本実施形態のＣＭの媒体書き出し手順を示すフローチャート図である。
【図７】従来の課題を説明するための録画コンテンツの概念図である。
【発明を実施するための形態】
【００１６】
（本実施形態の構成）
図１に、本実施形態の構成を示す。
本実施形態に係る映像記録装置１は、放送受信機１０と記憶装置２０を備える。ユーザインタフェースとなる視聴端末３０を備えていてもよい。放送受信機１０は、放送受信・蓄積手段１１と、媒体書き出し手段１２と、ＣＭ抽出手段１３と、シーンマッチング手段１４と、プレイリスト作成手段１５と、同一ＣＭリスト作成手段１６と、書き出し優先度付け手段１７とを備える。一方、記憶装置２０は、例えばＨＤＤ（不図示）を備え、ＨＤＤ内に、コンテンツ２１、プレイリスト２２、同一ＣＭリスト２３を記憶する。
【００１７】
放送受信・蓄積手段１１は、デジタル放送波等を捉えて放送を受信し、記憶装置２０に蓄積する。蓄積した１録画コンテンツがコンテンツ２１を構成する１録画コンテンツである。
【００１８】
媒体書き出し手段１２は、ユーザ操作に基づき、指定されたコンテンツやＣＭをＤＶＤなどに書き出す。ここで、指定する対象は、ある録画コンテンツの本編やＣＭがある。また、書き出し先は、ＤＶＤなどの可搬性記録媒体の他、記憶装置２０の空き領域でもよい。
【００１９】
ＣＭ抽出手段１３は、ある録画コンテンツからＣＭと推定される部分を抽出する。抽出の具体的方法は、ＣＭ前後に含まれる所定の長さの無音区間を抽出するなど、従来公知の方法が利用できる。
【００２０】
シーンマッチング手段１４は、ＣＭ抽出手段１３が抽出したＣＭ（複数ある）同士を比較して、同一と推定されるもの同士を関連づける。関連づけは、同一ＣＭリスト作成手段１６による同一ＣＭリスト作成時に利用される。シーンマッチングの具体的方法については、例えば特許文献１に記載の従来公知の方法が利用できる。
【００２１】
プレイリスト作成手段１５と同一ＣＭリスト作成手段１６は、コンテンツ２１から、後述する各ＣＭのプレイリストへの登録手順を実行して、プレイリスト２２と同一ＣＭリスト２３を作成する。
【００２２】
書き出し優先度付け手段１７は、同一ＣＭリスト２３の各エントリに書き出し優先度を付ける機能を備える。
【００２３】
コンテンツ２１は、前述のように、複数の録画コンテンツからなる。１つの録画コンテンツは、図７（ａ）に示すように、本編とＣＭを含む（ＣＭは０個ないし複数個含んでもよい）１ファイルである。
【００２４】
プレイリスト２２は、映像記録装置１が提供するＣＭコレクションのプレイリストである。図２に、プレイリスト２２と同一ＣＭリスト２３を視聴端末３０に表示した例を示す。
【００２５】
プレイリスト２２は、ユーザによって任意に付けられたタグによって分類されたＣＭのプレイリストからなる。図２では、「映画」タグが付けられた「映画ＣＭ」プレイリストと「動物」タグが付けられた「動物ＣＭ」プレイリストの、二つのプレイリストからなるプレイリスト２２が示されている。
【００２６】
同一ＣＭリスト２３は、シーンマッチング手段１４により同一ＣＭと判断されたＣＭ動画をエントリとするリストである。図２では、「ＣＭ１」が同一ＣＭリスト２３に該当する。「ＣＭ１」のエントリは、「Ｃｏｎｔｅｎｔｓ１＿１」「Ｃｏｎｔｅｎｔｓ２＿１」「Ｃｏｎｔｅｎｔｓ３＿１」の３つが例示されている。
【００２７】
同一ＣＭリスト２３には、タグが付けられている。図２では、同一ＣＭリスト２３である「ＣＭ１」に「映画」タグが付けられている。もちろん、「映画」タグが付けられるＣＭは他にあってもよい。タグ付は、ユーザが手動で視聴端末３０を用い、プレイリスト作成手段１５によりなされる。
【００２８】
（各ＣＭのプレイリストへの登録手順）
図３に、各ＣＭのプレイリストへの登録手順を示す。
ＣＭのプレイリスト２２への登録は、例えば、ユーザが、蓄積されているコンテンツ２１の中から、１つの録画コンテンツを選び、当該録画コンテンツへの操作メニューの中から「ＣＭのプレイリストへの登録」処理を指示した場合等により開始される。
【００２９】
まず、ＣＭ抽出手段１３が録画コンテンツの中からＣＭを抽出する（ステップＳ１０１）。図７（ａ）に示したように、ＣＭは複数含まれる場合もあるが、ここでは説明を簡潔にするために、１つのＣＭが抽出されたこととする。
【００３０】
次に、抽出されたＣＭに対して、ユーザが手動でタグ付けを行う（ステップＳ１０２）。このステップは、ユーザ操作である。また、付けられるタグは、「映画」「動物」など既存のものでもよく、新規タグでもよい。
【００３１】
次に、プレイリスト作成手段１５は、抽出されたＣＭを、ステップＳ１０２で付けられたタグの配下に追加する（ステップＳ１０３）。
【００３２】
また、シーンマッチング手段１４が追加されたＣＭとシーンマッチングするＣＭを検索する（ステップＳ１０４）。
【００３３】
ステップＳ１０４の結果、同一のＣＭが見つかれば、追加されたＣＭを、見つけた同一のＣＭのリストの１エントリに加える（ステップＳ１０５、Ｓ１０６）。
【００３４】
以上のように、抽出されるＣＭは、プレイリスト２２へと登録される。プレイリスト登録の際には、同じＣＭが有れば、同じＣＭ同士で構成される同一ＣＭリスト２３に登録される。プレイリスト２２や同一ＣＭリスト２３への登録の態様は、具体的には、例えば、図４、図５に示すようにしてもよい。
【００３５】
図４は、図３のステップＳ１０３で生成される、プレイリストデータベース例を示す。
図４の各段は、それぞれ、ＣＭ抽出手段１３が抽出した一つ一つのＣＭ動画を示す。各ＣＭ動画は、ユーザにより付けられたタグを持ち、また、当該ＣＭ動画が含まれる録画コンテンツを特定できる情報（コンテンツＩＤ）に紐付けられている。また、その録画コンテンツにおける当該ＣＭ動画が再生される区間にも紐付けられている。
【００３６】
図５は、図３のステップＳ１０６で生成される、同一ＣＭリスト２３に関するデータベース例を示す。
図５には、図２に例示した「ＣＭ１」の同一ＣＭリストの各エントリを示している。
図５に示すように、各エントリには、ＣＭＩＤ、コンテンツＩＤ、残存コピー可能回数、ＣＭの書き出し済み回数、タグ数、本編書き出し済み回数、本編保護回数、画質優先度が紐付けられている。
【００３７】
ＣＭＩＤは、同じ種類のＣＭごとに一意に決められる識別子である。コンテンツＩＤは、図４のものと同じく、録画コンテンツを特定できる情報である。残存コピー可能回数は、コンテンツＩＤにより特定される録画コンテンツに残されている複製が可能な回数である。例えば、ダビング１０で、まだ一度もコピーしていない場合は９回になる。
【００３８】
ＣＭの書き出し済み回数は、後述するＣＭの媒体書きだしを実行して書き出しを行った回数である。媒体書き出し手段１２が計数する。
【００３９】
タグ数は、そのＣＭに付けられているタグの数である。図５では、「ＣＭ１」については２種類のタグが付けられていることを示す。
【００４０】
本編書き出し済み回数は、コンテンツＩＤにより特定される録画コンテンツの本編の書き出しを行った回数である。媒体書き出し手段１２が計数する。
【００４１】
これに対して、本編保護回数は、コンテンツＩＤにより特定される録画コンテンツを後何回コピー可能にしておきたいかに応じて、ユーザが任意に指定するものである。例えば、図５の最上段のエントリの録画コンテンツは、最低４回はコピー可能にしておきたいとして設定されている。
【００４２】
（ＣＭの媒体書き出し手順）
次に、ＣＭをコピーする手順について説明する。
図６に、ＣＭの媒体書き出し手順を示す。
図６のフローの開始時において、ユーザにより、あるＣＭが選択されており、当該ＣＭの書き出しをユーザが指示した状態であることが、図６のフロー開始の前提条件である。
【００４３】
まず、選択されている書き出し対象が、本編であるか否か確認する（ステップＳ２０１）。本編であれば、本編を書き出した上、本編書き出し済み回数をインクリメント等して本フローを終了する。
【００４４】
次に、選択されているＣＭに同一ＣＭがあるか否かを判断する（ステップＳ２０２）。同一ＣＭがある場合（つまり、複数のエントリがある同一ＣＭリストがある場合）、コピー回数に余裕があるコンテンツを自動で選択し（ステップＳ２０３）、同じコピー可能回数のものがあるか否かを判断する（ステップＳ２０４）。有る場合は、画質優先度が高いものを選ぶ（ステップＳ２０５）。
次に、選択されているコンテンツから、ＣＭの書き出しを実行する（ステップＳ２０６）。
【００４５】
一方で、選択されているＣＭに同一ＣＭがない場合、本編分のコピー可能回数があるか否か判断し（ステップＳ２０７）、有る場合は、ＣＭの書き出しを実行する（ステップＳ２０６）。他方、ない場合は、ユーザにコピー可能回数不足であることを提示して終了する（ステップＳ２０８）。
【００４６】
本実施形態は、上述のように動作するので、コピー可能回数が設定されている複数の録画コンテンツからＣＭをコピーする際に、自動で最適な録画コンテンツからコピーを作成することが可能になる。
【符号の説明】
【００４７】
１    映像記録装置
１０    放送受信機
１１    放送受信・蓄積手段
１２    媒体書き出し手段
１３    ＣＭ抽出手段
１４    シーンマッチング手段
１５    プレイリスト作成手段
１６    同一ＣＭリスト作成手段
１７    書き出し優先度付け手段
２０    記憶装置
２１    コンテンツ
２２    プレイリスト
２３    同一ＣＭリスト
３０    視聴端末
【図１】
0005679838.tif 000002
【図２】
0005679838.tif 000003
【図３】
0005679838.tif 000004
【図４】
0005679838.tif 000005
【図５】
0005679838.tif 000006
【図６】
0005679838.tif 000007
【図７】
0005679838.tif 000008